(57)【要約】      （修正有）【課題】記載板と掲示板の境界部分に枠材等が存在せず、板面が一体化し外観体裁が極めて良好であり、更には、維持コストの低廉化を図ることができる記載板と掲示板を組み合わせたコンビネーションボードからなる多機能ボードを提供する。【解決手段】記載板と掲示板を組み合わせたコンビネーションボードからなる多機能ボード１は、一つの平面型としたボード基体２に対して、鋼板製で記載用として機能するボード基体２、マグネットシートを用いた磁着構造の表面材１１を中央配置として、鋼板製で記載用及び／又は掲示用として機能する磁着構造の表面材２１、鋼板製で掲示用として機能するパンチングメッシュ形態で磁着構造の表面材３１のいずれか一方を左側配置とし、他方を右側配置として各々隣り合わせに接合配置する。【選択図】図１
2015202573.tif 000002
【特許請求の範囲】
【請求項１】
一つのボード基体に対して、記載用として機能する表面材と、記載用及び／又は掲示用として機能する表面材と、掲示用として機能する表面材と、の内から選定される２種以上の表面材を隣り合わせに接合配置する構成からなることを特徴とする多機能ボード。
【請求項２】
一つのボード基体に対して、記載用として機能する表面材を中央配置とし、その両隣りに記載用及び／又は掲示用として機能する表面材、掲示用として機能する表面材を各々隣り合わせに接合配置する構成からなることを特徴とする多機能ボード。
【請求項３】
一つの平面型としたボード基体に対して、鋼板製で記載用として機能する磁着構造の表面材を中央配置として、鋼板製で記載用及び／又は掲示用として機能する磁着構造の表面材、鋼板製で掲示用として機能するパンチングメッシュ形態で磁着構造の表面材のいずれか一方を左側配置とし、他方を右側配置として各々隣り合わせに接合配置する構成からなることを特徴とする多機能ボード。
【請求項４】
一つの平面型としたボード基体に対して、鋼板製で記載用として機能する磁着構造の表面材を中央配置として、鋼板製で記載用及び／又は掲示用として機能する磁着構造の表面材、鋼板製で掲示用として機能するパンチングメッシュ形態で磁着構造の表面材の内のいずれか一種の表面材２個を、前記記載用として機能する表面材の両隣りに各々接合配置する構成からなることを特徴とする多機能ボード。
【請求項５】
一つの平面型としたボード基体に対して、鋼板製で記載用として機能する磁着構造の表面材と、鋼板製で記載用及び／又は掲示用として機能する磁着構造の表面材又は鋼板製で掲示用として機能するパンチングメッシュ形態で磁着構造の表面材の内のいずれか一方とを、隣り合わせに接合配置する構成からなることを特徴とする多機能ボード。
【請求項６】
前記各表面材同士の接合領域に細隙が生じる場合には、細隙遮蔽薄板が配置されることを特徴とする請求項１乃至５のいずれか１項に記載の多機能ボード。
【請求項７】
一つの両曲面型としたボード基体に対して、鋼板製で記載用として機能する磁着構造の表面材を中央配置とし、その両隣りに、鋼板製で記載用及び／又は掲示用として機能する磁着構造の表面材、鋼板製で掲示用として機能するパンチングメッシュ形態で磁着構造の表面材のいずれか一方を左側配置とし、他方を右側配置として各々隣り合わせに接合配置し、両側曲面形態としたことを特徴とする多機能ボード。
【請求項８】
一つの両曲面型としたボード基体に対して、鋼板製で記載用として機能する磁着構造の表面材を中央配置とし、鋼板製で記載用及び／又は掲示用として機能する磁着構造の表面材、鋼板製で掲示用として機能するパンチングメッシュ形態で磁着構造の表面材の内のいずれか一種の表面材２個を、前記記載用として機能する表面材の両隣りに各々接合配置し、両側曲面形態としたことを特徴とする多機能ボード。
【請求項９】
前記各表面材同士の接合領域に細隙が生じる場合には、細隙遮蔽薄板が配置されることを特徴とする請求項７又は８のいずれか１項に記載の多機能ボード。
【請求項１０】
日射量の大きい側に配置する端部側のみを曲面型とした一つのボード基体に対して、鋼板製で記載用として機能する磁着構造の平坦な表面材を備えるボードを中央配置とし、鋼板製で記載用及び／又は掲示用として機能する磁着構造の表面材、鋼板製で掲示用として機能するパンチングメッシュ形態で磁着構造の表面材の内のいずれか一方を前記ボード基体の日射量の大きい側に配置し、他方をその反対側に各々隣り合わせに接合配置し、片側曲面形態としたことを特徴とする多機能ボード。
【請求項１１】
日射量の大きい側に配置する端部側のみを曲面型とした一つのボード基体に対して、鋼板製で記載用として機能する磁着構造の平坦な表面材を備えるボードを中央配置とし、鋼板製で記載用及び／又は掲示用として機能する磁着構造の表面材、鋼板製で掲示用として機能するパンチングメッシュ形態で磁着構造の表面材の２種の表面材の内のいずれか一種２個を、前記ボード基体の日射量の大きい側とその反対側とに各々隣り合わせに接合配置し、片側曲面形態としたことを特徴とする多機能ボード。
【請求項１２】
日射量の大きい側に配置する端部側のみを曲面型とした一つのボード基体に対して、鋼板製で記載用として機能する磁着構造の表面材と、鋼板製で記載用及び／又は掲示用として機能する磁着構造の表面材、鋼板製で掲示用として機能するパンチングメッシュ形態で磁着構造の表面材の内のいずれか一方とを、前記いずれか一方の表面材を前記ボード基体の日射量の大きい側に配置する状態で隣り合わせに接合配置し、片側曲面形態としたことを特徴とする多機能ボード。
【請求項１３】
前記各表面材同士の接合領域に細隙が生じる場合には、細隙遮蔽薄板が配置されることを特徴とする請求項１０乃至１２のいずれか１項に記載の多機能ボード。
【発明の詳細な説明】
【技術分野】
【０００１】
本発明は、各種の筆記用ボードである記載板と各種の掲示用ボードである掲示板とを組み合わせたコンビネーションボードからなる多機能ボードに関し、詳しくは、記載板と掲示板の境界部分に枠材等が存在せず、板面が一体化された外観体裁が極めて良好で新規な記載板と掲示板を組み合わせたコンビネーションボードからなる多機能ボードに関するものである。
【背景技術】
【０００２】
従来、各種学校等における教室の正面等の壁面に設置され、授業等の際に文字等の記載用としてまた教材等の記載用、掲示用として使用される一般的なボード類としては、黒板又は白板（ホワイトボード等）のみからなる筆記用ボードである記載板、或いは、黒板又は白板（ホワイトボード等）とからなる筆記用ボードである記載板と各種の掲示用ボードである掲示板を単に並べて配置して組み合わせだけのもの等が実用に供されている。
【０００３】
このようなボード類の内、黒板（又は白板）、或いは、黒板（又は白板）と掲示板の組み合わせボードの形態としては、概略すると、全面が平坦な平面型、中央部が平坦で幅方向の両端部が湾曲した両曲面型、中央部及び一方の端部側が平坦で、他方の端部が湾曲した半曲面型の３種類がある。
【０００４】
近年においては、室内の黒板（又は白板）等に向かって比較的左右に位置する者にも視認し易いということから、生徒等々に優しい両曲面型又は半曲面型を採用する学校が増加し、一般化している。
【０００５】
このようなボード類の従来例について、図１７乃至図２２を参照して概略的に説明する。
【０００６】
図１７は、例えば、教室等の正面の中央部に配置された広幅の黒板（又は白板）１０１の両端側に、前記平面黒板（又は平面白板）１０１よりも狭幅の２個の各掲示板１０２Ａ、１０２Ｂを、当該２個の各掲示板１０２Ａ、１０２Ｂの各端部が当該広幅の黒板（又は白板）１０１の左右両側の端部分に接する状態で、単に配置して各板面を組み合わせたような従来におけるコンビネーションボード１００を示すものである。なお、図１７において１０５は筆記具載置箱である。
図示例では、広幅の黒板（又は白板）１０１の外側の両端に配置される２個の各掲示板１０２Ａ、１０２Ｂとして説明しているが、この他の従来例として、広幅の黒板（又は白板）１０１の両端には、広幅の黒板（又は平面白板）１０１よりも狭幅の１個の掲示板と１個の黒板（又は白板）が配置されることもあり、また、広幅の黒板（又は平面白板）１０１よりも狭幅の２個の黒板（又は白板）が配置されることもある。
【０００７】
この場合、前記コンビネーションボード１００における平面視形態について考察すると、図１８に示すように、前記黒板（又は白板）１０１、２個の掲示板１０２Ａ、１０２Ｂの各表面が全て平坦な平面型と、図１９に示すように、前記黒板（又は白板）１０１の幅方向両端側を各々曲面状とし、２個の掲示板１０２Ａ、１０２Ｂの各表面を平坦とした両側曲面型と、図２０に示すように、前記黒板（又は白板）１０１の幅方向片端側のみを曲面状とし、２個の掲示板１０２Ａ、１０２Ｂの各表面を平坦とした片側曲面型と、に大別される。
【０００８】
図１９に示す両曲面型のコンビネーションボード１００の場合、光が反射しないように前記黒板（又は白板）１０１の幅方向両端側が曲面となっているので、生徒等の側のどの席からでも前記黒板（又は白板）１０１の板面が良く見えるという利点がある。
【０００９】
図２０に示す片側曲面型のコンビネーションボード１００の場合、教室内に入る日射量を考慮し、前記黒板（又は白板）１０１の曲面状とした幅方向片端側を教室の窓１０３に近い方に配置することが通常である。
【００１０】
しかし、上述したような各形態のコンビネーションボード１００の場合、以下のような問題が有る。
【００１１】
すなわち、図１９又は図２０に示す各形態のコンビネーションボード１００の場合、図２１に示すように、前記黒板（又は白板）１０１における幅方向片端側の曲面状とした端部と、その隣りの掲示板１０２Ａの隣接する端部との間に必然的に段差部１０４が形成されることになる。
【００１２】
このため、生徒等が当該段差部１０４の最突出部分に頭部等をぶつけてしまい思わぬ怪我をする等の危険性を包含しているとともに、段差部１０４の存在のため外観体裁も良好ではない。
【００１３】
また、前記黒板（又は白板）１０１と前記掲示板１０２Ａとの間、前記黒板（又は白板）１０１と前記掲示板１０２Ｂとの間には、図２２に示すように、ボード枠１０１ａ、ボード枠１０２ｃが存在するため、前記黒板（又は白板）１０１と前記掲示板１０２Ａとの間、前記黒板（又は白板）１０１と前記掲示板１０２Ｂとの間で、各々板面の連続性が無くなり、また、ボード枠１０１ａ、ボード枠１０２ｃの仕様や施工精度の如何によっては微小な隙間が生じ、これらの点からも外観体裁の悪化を招いてしまう。
【００１４】
特許文献１には、外枠の中の上部を横桟で、左右両側近くを縦桟でそれぞれ仕切って横桟より上の部分と縦桟よりそれぞれ左右外側の部分に掲示板を装着し、残りの中央部分に黒板ボードを装着した構成からなる黒板が提案されている。
【００１５】
しかし、この特許文献１の場合も、外枠の左右両側近くを縦桟で夫々仕切って、左右外側の部分に掲示板を装着し、残りの中央部分に黒板ボードを装着した構成であり、黒板と掲示板との一体性に欠けることから、上述した諸問題を解決することができないとともに、外観体裁も良好なものではない。
【先行技術文献】
【特許文献】
【００１６】
【特許文献１】特開平１１−２５４８８４号公報
【発明の概要】
【発明が解決しようとする課題】
【００１７】
本発明が解決しようとする問題点は、各種の筆記用ボードである記載板と各種の掲示用ボードである掲示板の境界部分に枠材等が存在せず、板面が一体化された外観体裁が極めて良好で、更には、維持コストの低廉化を図ることができるような記載板と掲示板を組み合わせたコンビネーションボードからなる多機能ボードが存在しない点である。
【課題を解決するための手段】
【００１８】
本発明に係る記載板と掲示板を組み合わせたコンビネーションボードからなる多機能ボードは、一つのボード基体において、中央部分に配置した記載用として機能する表面材に対して、記載用及び／又は掲示用として機能する表面材と、掲示用として機能する表面材と、の内から選定される２種以上の表面材を、中央部分に配置した記載用として機能する表面材の左右側端に各表面材の端部を隣り合わせに接合配置する構成からなることを最も主要な特徴とする。
【発明の効果】
【００１９】
請求項１記載の発明によれば、一つのボード基体に対して、記載用として機能する表面材と、記載用及び／又は掲示用として機能する表面材と、掲示用として機能する表面材と、の内から選定される２種以上の表面材を隣り合わせに接合配置する構成としているので、各表面材の境界部分に枠材等が存在せず、板面が一体化し外観体裁が極めて良好な斬新な記載板と掲示板を組み合わせたコンビネーションボードからなる多機能ボードを実現し提供することができる。
【００２０】
請求項２記載の発明によれば、一つのボード基体に対して、記載用として機能する表面材を中央配置とし、その両隣りに記載用及び／又は掲示用として機能する表面材、掲示用として機能する表面材を各々隣り合わせに接合配置する構成としているので、各表面材の境界部分に枠材等が存在せず、板面が一体化し外観体裁が極めて良好であり、更には、文字等の記載領域の拡張機能、書類等の掲示機能も併せて発揮する斬新な記載板と掲示板を組み合わせたコンビネーションボードからなる多機能ボードを実現し提供することができる。
【００２１】
請求項３記載の発明によれば、一つの平面型としたボード基体に対して、鋼板製で記載用として機能する磁着構造の表面材を中央配置として、鋼板製で記載用及び／又は掲示用として機能する磁着構造の表面材、鋼板製で掲示用として機能するパンチングメッシュ形態で磁着構造の表面材のいずれか一方を左側配置とし、他方を右側配置として各々隣り合わせに接合配置する構成としているので、請求項２記載の発明と同様な効果を奏し、各表面材をボード基体に対して各々磁着構造で取り付ける構成であることから、各表面材の取り替えも容易で維持コストの低廉化を図ることもできる斬新な記載板と掲示板を組み合わせたコンビネーションボードからなる多機能ボードを実現し提供することができる。
【００２２】
請求項４記載の発明によれば、一つの平面型としたボード基体に対して、鋼板製で記載用として機能する磁着構造の表面材を中央配置として、鋼板製で記載用及び／又は掲示用として機能する磁着構造の表面材、鋼板製で掲示用として機能するパンチングメッシュ形態で磁着構造の表面材の内のいずれか一種の表面材２個を、前記記載用として機能する表面材の両隣りに各々接合配置する構成としているので、請求項３記載の発明と同様な効果を奏し、かつ、文字等の記載領域の大幅な拡張機能、又は書類等の掲示機能の大幅な拡張機能をも発揮する斬新な記載板と掲示板を組み合わせたコンビネーションボードからなる多機能ボードを実現し提供することができる。
【００２３】
請求項５記載の発明によれば、一つの平面型としたボード基体に対して、鋼板製で記載用として機能する磁着構造の表面材と、鋼板製で記載用及び／又は掲示用として機能する磁着構造の表面材又は鋼板製で掲示用として機能するパンチングメッシュ形態で磁着構造の表面材の内のいずれか一方とを、隣り合わせに接合配置する構成としているので、表面材２枚並設構造とした狭幅構造の基に、請求項３記載の発明と略同様な効果を奏し、かつ、比較的狭面積の設置領域にも対応可能な斬新な記載板と掲示板を組み合わせたコンビネーションボードからなる多機能ボードを実現し提供することができる。
【００２４】
請求項６記載の発明によれば、前記請求項1乃至５のいずれか１項に記載の発明において、前記各表面材同士の接合領域に細隙が生じる場合には、細隙遮蔽薄板が配置される構成としているので、各表面材同士の接合領域の細隙を遮蔽して外観体裁の良好性を確保することができる斬新な記載板と掲示板を組み合わせたコンビネーションボードからなる多機能ボードを実現し提供することができる。
【００２５】
請求項７記載の発明によれば、一つの両曲面型としたボード基体に対して、鋼板製で記載用として機能する磁着構造の表面材を中央配置とし、その両隣りに、鋼板製で記載用及び／又は掲示用として機能する磁着構造の表面材、鋼板製で掲示用として機能するパンチングメッシュ形態で磁着構造の表面材のいずれか一方を左側配置とし、他方を右側配置として各々隣り合わせに接合配置し、両側曲面形態とした構成としているので、各表面材の境界部分に枠材等が存在せず、板面が一体化し外観体裁が極めて良好であり、また文字等の記載領域の拡張機能、書類等の掲示機能も併せて発揮でき、更に両側曲面形態としたことにより、教室等のどの席からもボード面が見易く、各表面材の取り替えも容易で維持コストの低廉化を図ることもできる斬新な記載板と掲示板を組み合わせたコンビネーションボードからなる多機能ボードを実現し提供することができる。
【００２６】
請求項８記載の発明によれば、請求項７記載の発明と略同様な効果を奏し、また、文字等の記載領域の大幅な拡張機能、又は、書類等の掲示機能の大幅な拡張機能をも発揮する斬新な記載板と掲示板を組み合わせたコンビネーションボードからなる多機能ボードを実現し提供することができる。
【００２７】
請求項９記載の発明によれば、請求項７又は８のいずれかに記載の発明において、前記各表面材同士の接合領域に細隙が生じる場合には、細隙遮蔽薄板が配置される構成としているので、各表面材同士の接合領域の細隙を遮蔽して外観体裁の良好性を確保することができる斬新な記載板と掲示板を組み合わせたコンビネーションボードからなる多機能ボードを実現し提供することができる。
【００２８】
請求項１０記載の発明によれば、日射量の大きい側に配置する端部側のみを曲面型とした一つのボード基体に対して、鋼板製で記載用として機能する磁着構造の平坦な表面材を備えるボードを中央配置とし、鋼板製で記載用及び／又は掲示用として機能する磁着構造の表面材、鋼板製で掲示用として機能するパンチングメッシュ形態で磁着構造の表面材の内のいずれか一方を前記ボード基体の日射量の大きい側に配置し、他方をその反対側に各々隣り合わせに接合配置し、片側曲面形態とした構成としているので、各表面材の境界部分に枠材等が存在せず、板面が一体化し外観体裁が極めて良好であり、また文字等の記載領域の拡張機能、書類等の掲示機能も併せて発揮でき、更に各表面材の取り替えも容易で維持コストの低廉化を図ることもでき、日射量の大きい例えば窓側からの光による眩しさも低減することができる斬新な記載板と掲示板を組み合わせたコンビネーションボードからなる多機能ボードを実現し提供することができる。
【００２９】
請求項１１記載の発明によれば、日射量の大きい側に配置する端部側のみを曲面型とした一つのボード基体に対して、鋼板製で記載用として機能する磁着構造の平坦な表面材を備えるボードを中央配置とし、鋼板製で記載用及び／又は掲示用として機能する磁着構造の表面材、鋼板製で掲示用として機能するパンチングメッシュ形態で磁着構造の表面材の２種の表面材の内のいずれか一種２個を、前記ボード基体の日射量の大きい側とその反対側とに各々隣り合わせに接合配置し、片側曲面形態とした構成としているので、請求項１０記載の発明と略同様な効果を奏し、かつ、文字等の記載領域の大幅な拡張機能、又は書類等の掲示機能の大幅な拡張機能をも発揮する斬新な記載板と掲示板を組み合わせたコンビネーションボードからなる多機能ボードを実現し提供することができる。
【００３０】
請求項１２記載の発明によれば、日射量の大きい側に配置する端部側のみを曲面型とした一つのボード基体に対して、鋼板製で記載用として機能する磁着構造の表面材と、鋼板製で記載用及び／又は掲示用として機能する磁着構造の表面材、鋼板製で掲示用として機能するパンチングメッシュ形態で磁着構造の表面材の内のいずれか一方とを、前記いずれか一方の表面材を前記ボード基体の日射量の大きい側に配置する状態で隣り合わせに接合配置し、片側曲面形態とした構成としているので、表面材２枚並設構造とした狭幅構造の基に、請求項１０記載の発明と略同様な効果を奏し、かつ、比較的狭面積の設置領域にも対応可能な斬新な記載板と掲示板を組み合わせたコンビネーションボードからなる多機能ボードを実現し提供することができる。
【００３１】
請求項１３記載の発明によれば、請求項1０乃至１２のいずれか１項に記載の発明において、前記各表面材同士の接合領域に細隙が生じる場合には、細隙遮蔽薄板が配置される構成としているので、各表面材同士の接合領域の細隙を遮蔽して外観体裁の良好性を確保することができる斬新な記載板と掲示板を組み合わせたコンビネーションボードからなる多機能ボードを実現し提供することができる。
【図面の簡単な説明】
【００３２】
【図１】図１は本発明の実施例１に係る多機能ボードを示す概略正面図である。
【図２】図２は本発明の実施例１に係る多機能ボードを示す概略平面図である。
【図３】図３は本実施例１に係る多機能ボードにおいて記載用として機能する中央配置の表面材の両隣りに記載用及び／又は掲示用として機能する表面材２個を配置した例を示す概略正面図である。
【図４】図４は本実施例１に係る多機能ボードにおいて記載用として機能する中央配置の表面材の両隣りに掲示用として機能する表面材２個を配置した例を示す概略正面図である。
【図５】図５は本実施例１に係る多機能ボードにおけるボード基体に対するマグネットシート、各表面材の配置構造を示す分解平面図である。
【図６】図６（ａ）は本実施例１に係る多機能ボードにおける隣接する表面材同士の細隙に細隙遮蔽薄板６ａを配置した状態を示す部分拡大図である。図６（ｂ）は、本実施例１に係る多機能ボードにおける隣接する表面材同士の細隙に図６（ａ）の細隙遮蔽薄板６ａとは別の形態の細隙遮蔽薄板６ｂを配置した状態を示す部分拡大図である。
【図７】図７は本実施例１の変形例に係る幅方向寸法を縮減したボード基体に２種の表面材を各々並設した状態を上・下に示す２つの態様の各多機能ボードの概略正面図である。
【図８】図８は本発明の実施例２に係る両側曲面型の多機能ボードを示す概略正面図である。
【図９】図９は本実施例２に係る両側曲面型の多機能ボードを示す概略平面図である。
【図１０】図１０は本実施例２に係る多機能ボードにおけるボード基体に対するマグネットシート、各表面材の配置構造を示す分解平面図である。
【図１１】図１１は本実施例２に係る両側曲面型の多機能ボードであって、記載用として機能する中央配置の表面材の両隣りの各表面材を図８に示す場合と左右逆にした態様を示す概略正面図である。
【図１２】図１２は本発明の実施例３に係る片側曲面型の多機能ボードを示す概略正面図である。
【図１３】図１２は本実施例３に係る片側曲面型の多機能ボードを示す概略平面図である。
【図１４】図１４は本実施例３に係る多機能ボードにおけるボード基体に対するマグネットシート、各表面材の配置構造を示す分解平面図である。
【図１５】図１５は本実施例３に係る片側曲面型の多機能ボードであって、記載用として機能する中央位置の表面材の両隣りの各表面材を図１２に示す場合と左右逆にした態様を示す概略正面図である。
【図１６】図１６は本実施例３の変形例に係る幅方向寸法を縮減したボード基体に２種の表面材を各々並設した状態を上・下に示す２つの態様の各多機能ボードの概略正面図である。
【図１７】図１７は従来の記載板と掲示板のコンビネーションボードを示す概略正面図である。
【図１８】図１８は従来の全体を平面型とした記載板と掲示板のコンビネーションボードを示す概略平面図である。
【図１９】図１９は従来の記載板を両側曲面型とした記載板と掲示板のコンビネーションボードを示す概略平面図である。
【図２０】図２０は従来の記載板を片側曲面型とした記載板と掲示板のコンビネーションボードを示す概略平面図である。
【図２１】図２１は従来の記載板を両側曲面型とした、又は、従来の記載板を片側曲面型とした記載板と掲示板のコンビネーションボードにおける記載板の端部の段差部を示す概略説明図である。
【図２２】図２２は従来の記載板と掲示板のコンビネーションボードにおける隣接する記載板、掲示板間に生じる隙間を示す概略説明図である。
【発明を実施するための形態】
【００３３】
本発明は、各種の筆記用ボードである記載板と各種の掲示用ボードである掲示板の境界部分に枠材等が存在せず、板面が一体化された外観体裁が極めて良好で、更には、維持コストの低廉化を図ることができる記載板と掲示板を組み合わせたコンビネーションボードからなる多機能ボードを実現し、提供するという目的を、一つの平面型としたボード基体に対して、例えば鋼板製で記載用として機能する磁着構造の表面材を中央配置として、例えば鋼板製で記載用及び／又は掲示用として機能する磁着構造の表面材、例えば鋼板製で掲示用として機能するパンチングメッシュ形態で磁着構造の表面材のいずれか一方を左側配置とし、他方を右側配置として各々隣り合わせに接合配置する構成により実現した。
【実施例】
【００３４】
以下、本発明の各実施例に係る記載板と掲示板を組み合わせたコンビネーションボードからなる多機能ボードについて図面を参照して詳細に説明する。
【００３５】
以下詳述する本発明の各実施例に係る記載板と掲示板を組み合わせたコンビネーションボードからなる多機能ボードは、一つのボード基体に対して、記載用として機能する表面材と、記載用及び／又は掲示用として機能する表面材と、掲示用として機能する表面材と、の内から選定される２種以上の表面材を隣り合わせに接合配置することを基本的技術的思想とするものである。
【００３６】
（実施例１）
本発明の実施例１に係る多機能ボード１について、図１乃至図６を参照して説明する。
【００３７】
本実施例１に係る多機能ボード１は、正面視長方形状で、平面型とした一つのボード基体２に対して、例えば鋼板製で記載用として機能する磁着構造の表面材１１を中央配置として、鋼板製で記載用及び／又は掲示用として機能する磁着構造の表面材２１、鋼板製で掲示用として機能するパンチングメッシュ形態で磁着構造の表面材３１のいずれか一方を、左側配置とし、他方を右側配置として各々隣り合わせに接合配置する構成とし、当該記載板と掲示板を組み合わせたコンビネーションボードからなる多機能ボード１を、例えば、学校の教室の正面に取り付けて使用に供するようにしたものである。なお、図１において、７は筆記具載置箱である。
【００３８】
前記表面材１１は、その表面形態を黒板仕様又はホワイトボード仕様としている。同様に前記表面材２１も、その表面形態を黒板仕様又はホワイトボード仕様としている。
【００３９】
前記各要素の寸法については、前記ボード基体２の全体寸法は、幅略６０００ｍｍ、高さ略１２００ｍｍ、記載用の表面材１１の幅３６００ｍｍ、高さ１２００ｍｍ、記載用及び／又は掲示用の表面材２１の幅１２００ｍｍ、高さ１２００ｍｍ、掲示用の表面材３１の幅１２００ｍｍ、高さ１２００ｍｍに設定する例を一例として挙げることができるが、特に限定するものではない。
【００４０】
図１、図２には、記載用の表面材１１を中央配置として、その左側に記載用及び／又は掲示用の表面材２１を、右側に掲示用の表面材３１を各々隣り合わせに接合配置する例を示しているが、これとは逆に左側に掲示用の表面材３１を、右側に記載用及び／又は掲示用の表面材２１を各々隣り合わせに接合配置する構成とすることも可能であり、これらの配置形態は顧客の要望に応じて適宜選定するものである。
【００４１】
また、図３に示すように、記載用の表面材１１を中央配置として、その左右両側に２個の記載用及び／又は掲示用の表面材２１、２１を配置して文字等の記載領域を拡大可能としたり、図４に示すように、記載用の表面材１１を中央配置として、その左右両側に２個の掲示用の表面材３１を配置する構成とし、各種書類等の掲示領域の拡大を図ったりすることも可能で、これらの配置形態も顧客の要望に応じて適宜選定するものである。
【００４２】
前記ボード基体２は、図５に示すように、四角形状で平坦に枠組みした例えば木製で幅略６０００ｍｍ、高さ略１２００ｍｍの寸法仕様とした四角枠体３と、この四角枠体３の一面側全域にネジ止め等で固定した四角形状で木製のベース板４とにより構成している。
【００４３】
そして、この前記ボード基体２に対して、磁着構造で記載用の表面材１１、記載用及び／又は掲示用の表面材２１、掲示用の表面材３１を配置し、記載板と掲示板を組み合わせたコンビネーションボードからなる多機能ボード１を構成している。
【００４４】
ここで、本実施例１における磁着構造とは、図５に示すように、前記ボード基体２のベース板４の表面上に全域にわたって、磁気吸着力を有するマグネットシート５を両面接着テープ等の接着具で貼り、このマグネットシート５の表面全域に磁性を有する鋼板製の表面材１１（又は表面材２１、表面材３１）を磁力により固定する構造を意味するものとして以下の説明を行う。
【００４５】
上述した本実施例１に係る記載板と掲示板を組み合わせたコンビネーションボードからなる多機能ボード１において、前記表面材１１と表面材２１との各端部の接合領域の細隙Ｇに関しては、細隙Ｇ＝０とすることも可能であるが、施工状態によっては細隙Ｇ＝０．５ｍｍ〜１ｍｍ程度となって外観体裁を損なう場合も生じ得る。
【００４６】
このような場合には、例えば、図６（ａ）に示すように、前記表面材１１と表面材２１との間の細隙Ｇの部分に、当該細隙Ｇに対応する厚さ（或いは幅）（Ｇ＝０．５ｍｍ〜１ｍｍ程度）の薄い細隙遮蔽薄板６ａを密に埋め込み、細隙Ｇの部分を遮蔽するようにするか、或いは、図６（ｂ）に示すように、前記表面材１１と表面材２１との間の細隙Ｇの部分（Ｇ＝０．５ｍｍ〜１ｍｍ程度）に、当該細隙Ｇを覆い隠すようにして幅５ｍｍ〜１０ｍｍ程度の細隙遮蔽薄板６ｂを貼り付けて、細隙Ｇの部分を遮蔽するようにする。
【００４７】
前記表面材１１と表面材３１との各端部の接合領域の細隙Ｇに関しても上述した場合と同様である。
【００４８】
これにより、細隙Ｇの部分が遮蔽され、前記記載板と掲示板を組み合わせたコンビネーションボードからなる多機能ボード１全体としての外観体裁を良好なものとすることができる。
【００４９】
本実施例１に係る記載板と掲示板を組み合わせたコンビネーションボードからなる多機能ボード１によれば、以下の作用、効果を奏する。
【００５０】
本実施例１に係る記載板と掲示板を組み合わせたコンビネーションボードからなる多機能ボード１によれば、前記表面材１１、２１、３１をマグネットシート５を使用し、磁着構造でボード基体２に各々配置しているので、これらの表面材１１、２１、３１が傷付いたり劣化したような場合でも、新品との交換を随時、かつ、何度でも簡略に行うことができ、多機能ボード１全体を新設する場合に比べ、維持コストを大幅に低減することが可能となる。
【００５１】
前記記載用の表面材１１、記載用及び／又は掲示用の表面材２１、掲示用の表面材３１が全体として一体化し、シンプルで美しく、多機能ボード１全体として外観体裁が極めて良好となる。
【００５２】
また、本実施例１に係る記載板と掲示板を組み合わせたコンビネーションボードからなる多機能ボード１は、設置場所の大小に応じた寸法選定の自由度が大きく、設置箇所に応じた対応を、柔軟性をもって行うことができる。
【００５３】
更に、前記マグネットシート５が弾力性を備えることから、前記記載用の表面材１１に文字等を記載する際の消音効果を発揮させることができる。
【００５４】
前記多機能ボード１の組立時には、マグネットシート５を用いた磁着構造で表面材１１、表面材２１、表面材３１を各々前記ボード基体２に取り付けるので、接着剤を使用する必要がなく、有機溶剤による空気汚染の発生が皆無となる。
【００５５】
次に、図７を参照して本実施例１の変形例に係る記載板と掲示板を組み合わせたコンビネーションボードからなる多機能ボード１Ａについて説明する。
【００５６】
変形例に係る記載板と掲示板を組み合わせたコンビネーションボードからなる多機能ボード１Ａは、上述した実施例１の多機能ボード１の構成を基本としつつ、幅方向寸法を縮減した構成としたことが特徴である。
【００５７】
すなわち、変形例に係る多機能ボード１Ａは、ボード基体２の幅方向全体寸法を、例えば、幅略４８００ｍｍ（高さは実施例１の場合と同一）と前記ボード基体２よりも縮減し、このボード基体２に対して実施例１の場合と同様にして前記表面材１１と表面材２１（図７上欄）又は前記表面材１１と表面材３１（図７下欄）を並設したものである。
【００５８】
図７に示す例では、前記表面材１１の左側に表面材２１を並設したもの、及び、前記表面材１１の左側に表面材２１を並設したものを示しているが、これらは各々左右入れ替えた配置とすることも勿論可能である。
【００５９】
変形例に係る多機能ボード１Ａの場合も、前記表面材１１と表面材２１との間、又は前記表面材１１と表面材３１との間に細隙Ｇが生じるような場合には、実施例１の場合と同様に、例えば、図６（ａ）に示すように、前記表面材１１と表面材２１との間の細隙Ｇの部分に、当該細隙Ｇに対応する厚さ（或いは幅）（Ｇ＝０．５ｍｍ〜１ｍｍ程度）の薄い細隙遮蔽薄板６ａを密に埋め込み、細隙Ｇの部分を遮蔽するようにするか、或いは、図６（ｂ）に示すように、前記表面材１１と表面材２１との間の細隙Ｇの部分（Ｇ＝０．５ｍｍ〜１ｍｍ程度）に、当該細隙Ｇを覆い隠すようにして幅５ｍｍ〜１０ｍｍ程度の細隙遮蔽薄板６ｂを貼り付けて、細隙Ｇの部分を遮蔽するようにする。
【００６０】
変形例に係る多機能ボード１Ａによれば、既述した実施例１の場合と同様な作用、効果を奏するとともに、前記ボード基体２の幅方向の全体寸法を前記ボード基体２よりも縮減し、このボード基体２に対して２種の表面材並設構造で配置したものであるから、教室の正面の設置面積が狭い場合にもそれに応じた態様で取り付けることが可能であり、比較的狭面積の教室等に対しても柔軟に対応することができる。
【００６１】
（実施例２）
本発明の実施例２に係る記載板と掲示板を組み合わせたコンビネーションボードからなる多機能ボード１Ｂについて、図８乃至図１１を参照して説明する。
【００６２】
本実施例２に係る多機能ボード１Ｂは、図８及び図９に示すように、正面視長方形状で、両側曲面型とした一つのボード基体２Ｂに対して、例えば鋼板製で記載用として機能する磁着構造の表面材１１を中央配置として、鋼板製で記載用及び／又は掲示用として機能する磁着構造の表面材２１、鋼板製で掲示用として機能するパンチングメッシュ形態で磁着構造の表面材３１の内、前記記載用及び／又は掲示用の表面材２１を左側配置、前記掲示用として機能する表面材３１を右側配置として、各々隣り合わせに接合配置する構成とし、この多機能ボード１Ｂを例えば学校の教室の正面に取り付けて、使用に供するようにしたものである。
【００６３】
前記ボード基体２Ｂは、図１０に示すように、四角形状で両側曲面型に枠組みした例えば木製で幅略６０００ｍｍ、高さ略１２００ｍｍの寸法仕様とした四角枠体３Ｂと、この四角枠体３Ｂの一面側全域にネジ止め等で固定した四角形状で木製のベース板４Ｂとにより構成している。
【００６４】
そして、この前記ボード基体２Ｂに対して、マグネットシート５を用いた磁着構造で記載用の表面材１１、記載用及び／又は掲示用の表面材２１、掲示用の表面材３１を配置し、前記多機能ボード１Ｂを構成している。
【００６５】
図１１は、図８に示す場合とは逆に記載用として機能する磁着構造の表面材１１を中央配置として、前記掲示用として機能する表面材３１を左側配置とし、前記記載用及び／又は掲示用の表面材２１を右側配置とした多機能ボード１Ｂを示すものである。
【００６６】
前記多機能ボード１Ｂの場合においても、前記表面材１１と表面材２１との間、又は前記表面材１１と表面材３１との間に細隙Ｇが生じるような場合には、実施例１の場合と同様に、例えば、図６（ａ）に示すように、前記表面材１１と表面材２１との間の細隙Ｇの部分に、当該細隙Ｇに対応する厚さ（或いは幅）（Ｇ＝０．５ｍｍ〜１ｍｍ程度）の薄い細隙遮蔽薄板６ａを密に埋め込み、細隙Ｇの部分を遮蔽するようにするか、或いは、図６（ｂ）に示すように、前記表面材１１と表面材２１との間の細隙Ｇの部分（Ｇ＝０．５ｍｍ〜１ｍｍ程度）に、当該細隙Ｇを覆い隠すようにして幅５ｍｍ〜１０ｍｍ程度の細隙遮蔽薄板６ｂを貼り付けて、細隙Ｇの部分を遮蔽するようにする。
【００６７】
本実施例２に係る記載板と掲示板を組み合わせたコンビネーションボードからなる多機能ボード１Ｂによれば、以下の作用、効果を奏する。
【００６８】
前記記載板と掲示板を組み合わせたコンビネーションボードからなる多機能ボード１Ｂによれば、実施例１の場合と同様、前記表面材１１、２１、３１をマグネットシート５を使用し、磁着構造でボード基体２Ｂに各々配置しているので、これらの表面材１１、２１、３１が傷付いたり劣化したような場合でも、新品との交換を随時、かつ、何度でも簡略に行うことができ、多機能ボード１Ｂ全体を新設する場合に比べ、維持コストを大幅に低減することが可能となる。
【００６９】
前記記載用の表面材１１、記載用及び／又は掲示用の表面材２１、掲示用の表面材３１が全体として一体化し、シンプルで美しく、多機能ボード１Ｂ全体として外観体裁が極めて良好となる。
【００７０】
また、本実施例２に係る多機能ボード１Ｂは、設置場所の大小に応じた寸法選定の自由度が大きく、設置箇所に応じた対応を、柔軟性をもって行うことができる。
【００７１】
更にまた、本実施例２においても、前記マグネットシート５が弾力性を備えることから、前記記載用の表面材１１に文字等を記載する際の消音効果を発揮させることができる。
【００７２】
更に、本実施例２においても、前記多機能ボード１Ｂの組立時には、マグネットシート５を用いた磁着構造で表面材１１、表面材２１、表面材３１を各々前記ボード基体２Ｂに取り付けるので、接着剤を使用する必要がなく、有機溶剤による空気汚染の発生が皆無となる。
【００７３】
加えて、本実施例２によれば、前記ボード基体２Ｂの幅方向両端側が共に曲面型としているので、生徒側のどの席からでも前記多機能ボード１Ｂの板面が良く見えるという効果も発揮する。
【００７４】
更にまた、本実施例２によれば、前記多機能ボード１Ｂの両側の端部のみに従来例で述べたような段差部が生じ、ボード面の途中には段差部が生じていない構造であることから、教師や生徒等がボード面に文字等を記載するような場合でも頭部等を段差部にぶつけて怪我をする等の危険性も皆無であり、安全性を向上することができる。
【００７５】
（実施例３）
本発明の実施例３に係る記載板と掲示板を組み合わせたコンビネーションボードからなる多機能ボード１Ｃについて、図１２乃至図１５を参照して説明する。
【００７６】
本実施例３に係る記載板と掲示板を組み合わせたコンビネーションボードからなる多機能ボード１Ｃは、図１２、図１３に示すように、正面視長方形状で、片側曲面型（図１２、図１３において左側の端部のみを曲面型）とした一つのボード基体２Ｃに対して、例えば鋼板製で記載用として機能する磁着構造の表面材１１を中央配置として、鋼板製で記載用及び／又は掲示用として機能する磁着構造の表面材２１、鋼板製で掲示用として機能するパンチングメッシュ形態で磁着構造の表面材３１の内、前記記載用及び／又は掲示用の表面材２１を左側配置、前記掲示用として機能する表面材３１を右側配置として、各々隣り合わせに接合配置する構成とし、この多機能ボード１Ｃを例えば学校の教室の正面に取り付けて、使用に供するようにしたものである。
【００７７】
この場合、前記ボード基体２Ｃの片側曲面状とした左側の端部を日射量の大きい教室の窓１０３に近い方に配置する構成とするものである。
【００７８】
前記ボード基体２Ｃは、図１４に示すように、四角形状で両側曲面型に枠組みした例えば木製で幅略６０００ｍｍ、高さ略１２００ｍｍの寸法仕様とした四角枠体３Ｃと、この四角枠体３Ｃの一面側全域にネジ止め等で固定した四角形状で木製のベース板４Ｃとにより構成している。
【００７９】
そして、このボード基体２Ｃに対して、マグネットシート５を用いた磁着構造で記載用の表面材１１、記載用及び／又は掲示用の表面材２１、掲示用の表面材３１を配置し、前記多機能ボード１Ｃを構成している。
【００８０】
なお、図１２に示す多機能ボード１Ｃにおいて、上述した場合とは逆に、前記表面材１１を中央配置として、前記掲示用として機能する表面材３１を左側配置、前記記載用及び／又は掲示用の表面材２１を右側配置した構成とすることも勿論可能である。
【００８１】
図１５は、本実施例３に係る多機能ボード１Ｃの別の例を示すものであり、記載用として機能する磁着構造の表面材１１を中央配置として、その左右両側にいずれも記載用及び／又は掲示用の表面材２１を配置し、記載領域の拡張を図ったものである。
【００８２】
この他、図示しないが、記載用として機能する磁着構造の表面材１１を中央配置として、その左右両側にいずれも掲示用の表面材３１を配置し、書類等の掲示領域の拡張を図った構成とすることもできる。
【００８３】
本実施例３に係る多機能ボード１Ｃの場合においても、前記表面材１１と表面材２１との間、又は、前記表面材１１と表面材３１との間に細隙Ｇが生じるような場合には、実施例１の場合と同様に、例えば、図６（ａ）に示すように、前記表面材１１と表面材２１との間の細隙Ｇの部分に、当該細隙Ｇに対応する厚さ（或いは幅）（Ｇ＝０．５ｍｍ〜１ｍｍ程度）の薄い細隙遮蔽薄板６ａを密に埋め込み、細隙Ｇの部分を遮蔽するようにするか、或いは、図６（ｂ）に示すように、前記表面材１１と表面材２１との間の細隙Ｇの部分（Ｇ＝０．５ｍｍ〜１ｍｍ程度）に、当該細隙Ｇを覆い隠すようにして幅５ｍｍ〜１０ｍｍ程度の細隙遮蔽薄板６ｂを貼り付けて、細隙Ｇの部分を遮蔽するようにする。
【００８４】
本実施例３に係る多機能ボード１Ｃによれば、以下の作用、効果を奏する。
【００８５】
本実施例３に係る多機能ボード１Ｃによれば、実施例１の場合と同様、前記表面材１１、２１、３１をマグネットシート５を使用し、磁着構造でボード基体２Ｂに各々配置しているので、これらの表面材１１、２１、３１が傷付いたり劣化したような場合でも、新品との交換を随時、かつ、何度でも簡略に行うことができ、多機能ボード１Ｃ全体を新設する場合に比べ、維持コストを大幅に低減することが可能となる。
【００８６】
前記記載用の表面材１１、記載用及び／又は掲示用の表面材２１、掲示用の表面材３１が全体として一体化し、シンプルで美しく、多機能ボード１Ｃ全体として外観体裁が極めて良好となる。
【００８７】
また、本実施例２に係る多機能ボード１Ｃは、設置場所の大小に応じた寸法選定の自由度が大きく、設置箇所に応じた対応を、柔軟性をもって行うことができる。
【００８８】
更に、本実施例３においても、前記マグネットシート５が弾力性を備えることから、前記記載用の表面材１１に文字等を記載する際の消音効果を発揮させることができる。
【００８９】
更に、本実施例３においても、前記多機能ボード１Ｃの組立時には、マグネットシート５を用いた磁着構造で表面材１１、表面材２１、表面材３１を各々前記ボード基体２Ｃに取り付けるので、接着剤を使用する必要がなく、有機溶剤による空気汚染の発生が皆無となる。
【００９０】
加えて、本実施例３によれば、前記ボード基体２Ｃの幅方向片端側（日射量の大きい教室の窓１０３側）を曲面型としているので、両側の端部のみに従来例で述べたような段差部が生じ、ボード面の途中には段差部が生じていない構造であることから、教師やむ生徒等がボード面に文字等を記載するような場合でも頭部等を段差部にぶつけて怪我をする等の危険性も皆無であり、安全性を向上することができ、更には、教室内に入る日射量を考慮した構成となっているので、生徒等が前記多機能ボード１Ｃを見る際の眩しさを軽減できるという効果も奏する。
【００９１】
図１６は、本実施例３の変形例に係る多機能ボード１Ｄを示すものである。
【００９２】
変形例に係る多機能ボード１Ｄは、上述した実施例３の多機能ボード１Ｃの構成を基本としつつ、幅方向寸法を縮減した構成としたことが特徴である。
【００９３】
変形例に係る多機能ボード１Ｄは、上述した実施例３の多機能ボード１Ｃの構成を基本としつつ、幅方向寸法を縮減した構成としたことが特徴である。
【００９４】
すなわち、変形例に係る多機能ボード１Ｄは、ボード基体２Ｃの幅方向全体寸法を、例えば幅略４８００ｍｍ（高さは実施例３の場合と同一）と前記ボード基体２Ｃよりも縮減し、このボード基体２Ｃに対して実施例３の場合と同様にして前記表面材１１と表面材２１（図１８上欄）又は前記表面材１１と表面材３１（図１６下欄）を、表面材２枚並設構造としたものである。
【００９５】
このように、変形例に係る多機能ボード１Ｄは、日射量の大きい教室の窓１０３側に配置する片側曲面とした一方の端部側を残し、他方の端部側の平坦部分を１２００ｍｍ分縮減したものである。
【００９６】
図１６に示す例では、前記表面材１１の左側に表面材２１を並設したもの、及び、前記表面材１１の左側に表面材３１を並設したものを示しているが、これらは各々左右入れ替えた配置とすることも勿論可能である。
【００９７】
変形例に係る多機能ボード１Ｄの場合も、前記表面材１１と表面材２１との間、又は前記表面材１１と表面材３１との間に細隙Ｇが生じるような場合には、実施例１の場合と同様に、例えば、図６（ａ）に示すように、前記表面材１１と表面材２１との間の細隙Ｇの部分に、当該細隙Ｇに対応する厚さ（或いは幅）（Ｇ＝０．５ｍｍ〜１ｍｍ程度）の薄い細隙遮蔽薄板６ａを密に埋め込み、細隙Ｇの部分を遮蔽するようにするか、或いは、図６（ｂ）に示すように、前記表面材１１と表面材２１との間の細隙Ｇの部分（Ｇ＝０．５ｍｍ〜１ｍｍ程度）に、当該細隙Ｇを覆い隠すようにして幅５ｍｍ〜１０ｍｍ程度の細隙遮蔽薄板６ｂを貼り付けて、細隙Ｇの部分を遮蔽するようにする。
【００９８】
変形例に係る多機能ボード１Ｄによれば、既述した実施例３の場合と略同様な作用、効果を奏するとともに、ボード基体２Ｃの幅方向の全体寸法を実施例３の場合よりも縮減し、このボード基体２Ｃに対して２種の表面材（表面材１１と表面材２１、又は、表面材１１と表面材３１）を並設構造で配置したものであるから、教室の正面の設置面積が狭い場合にもそれに応じた態様で取り付けることが可能であり、比較的狭面積の教室等に対しても柔軟に対応することができる。
【産業上の利用可能性】
【００９９】
本発明の記載板と掲示板を組み合わせたコンビネーションボードからなる多機能ボードは、各種学校の教室等に適用する場合の他、オフィスや各種業務施設、工場等の会議室用等として広範に適用でき、更には既設の黒板、ホワイトボード等をボード基体として利用した新規で斬新な多機能ボードとして広範に活用できる。
【符号の説明】
【０１００】
１    多機能ボード
１Ａ  多機能ボード
１Ｂ  多機能ボード
１Ｃ  多機能ボード
１Ｄ  多機能ボード
２    ボード基体
２Ｂ  ボード基体
２Ｃ  ボード基体
３    四角枠体
３Ｂ  四角枠体
３Ｃ  四角枠体
４    ベース板
４Ｂ  ベース板
４Ｃ  ベース板
５    マグネットシート
６ａ    細隙遮蔽薄板
６ｂ    細隙遮蔽薄板６ａとは異なる形態の細隙遮蔽薄板
７    筆記具載置箱
１１    表面材
２１    表面材
３１    表面材
Ｇ    細隙
１００    従来の記載板と掲示板を組み合わせたコンビネーションボード
１０２Ａ  掲示板
１０１ａ  ボード枠
１０２Ｂ  掲示板
１０２ｃ  ボード枠
１０３    窓
１０４    当段差部
１０５    筆記具載置箱
【図１】
2015202573.tif 000003
【図２】
2015202573.tif 000004
【図３】
2015202573.tif 000005
【図４】
2015202573.tif 000006
【図５】
2015202573.tif 000007
【図６】
2015202573.tif 000008
【図７】
2015202573.tif 000009
【図８】
2015202573.tif 000010
【図９】
2015202573.tif 000011
【図１０】
2015202573.tif 000012
【図１１】
2015202573.tif 000013
【図１２】
2015202573.tif 000014
【図１３】
2015202573.tif 000015
【図１４】
2015202573.tif 000016
【図１５】
2015202573.tif 000017
【図１６】
2015202573.tif 000018
【図１７】
2015202573.tif 000019
【図１８】
2015202573.tif 000020
【図１９】
2015202573.tif 000021
【図２０】
2015202573.tif 000022
【図２１】
2015202573.tif 000023
【図２２】
2015202573.tif 000024